(57)【要約】【課題】マウスを自由自在に動かすことができ、しかも動かす際の抵抗の変化が少なくなるようにしたマウスコードホルダを提供する。【解決手段】マウス５１０とコンピュータ５００とを接続するコード５２０の途中を持ち上げて支持するマウスコードホルダ１００であって、マウス近傍に設置される基台２００と、この基台に取付けられて上方に伸び、その先端が水平〜下方に向くように湾曲された、リジッドな材質のアーム４００と、このアームの少なくとも先端に設けられたコード保持部とを備えている。前記アームは、前記基台に対して水平回動及び上下回動可能に取付けられていることが好ましい。更に、前記基台に前記コードの余剰長さ部分を収納するためのコード収納ケースが取付けられていることが好ましい。【選択図】  図３
2004310168.tif 000002
【特許請求の範囲】
【請求項１】
マウスとコンピュータとを接続するコードの途中を持ち上げて支持するマウスコードホルダにおいて、マウス近傍に設置される基台と、この基台に取付けられて上方に伸び、その先端が水平〜下方に向くように湾曲された、リジッドな材質のアームと、このアームの少なくとも先端に設けられたコード保持部とを備えていることを特徴とするマウスコードホルダ。
【請求項２】
前記アームは、前記基台に対して水平回動可能に取付けられている請求項１記載のマウスコードホルダ。
【請求項３】
前記アームは、前記基台に対して上下回動可能に取付けられている請求項１又は２記載のマウスコードホルダ。
【請求項４】
前記基台に前記コードの余剰長さ部分を収納するためのコード収納ケースが取付けられ、前記基台又は前記コード収納ケースに前記アームが取付けられている請求項１〜３のいずれか１つに記載のマウスコードホルダ。
【請求項５】
前記アームは、前記コード収納ケースに対して上下回動可能に取付けられ、前記コード収納ケースは、前記基台に対して水平回動可能に取付けられている請求項４記載のマウスコードホルダ。
【請求項６】
前記コード収納ケースは、前記基台に取付けられた本体部と、この本体部に対して脱着可能なカセット部とを有し、前記カセット部には、前記コードの余剰長さ部分を巻取るためのボビンが設けられている請求項４又は５記載のマウスコードホルダ。
【請求項７】
前記アームを水平回動及び／又は上下回動させる部分に、ラチェット機構が設けられている請求項１〜６のいずれか１つに記載のマウスコードホルダ。
【請求項８】
前記基台には、設置面に対して固定力を付与するための、吸盤、磁石及び重りから選ばれた固定手段が設けられている請求項１〜７のいずれか１つに記載のマウスコードホルダ。
【発明の詳細な説明】
【０００１】
【産業上の利用分野】
本発明は、マウスとコンピュータとを接続するコードの途中を持ち上げて支持するマウスコードホルダに関する。
【０００２】
【従来の技術】
コンピュータの入力デバイスの一種であるマウスは、一般的にはコンピュータにコードを介して接続されている。近年、光や電波の信号を介してコンピュータ本体と接続するようにしたコードレスのマウスも市販されているが、コストが高いために十分に普及するには至っていない。
【０００３】
ところで、コード付きのマウスの欠点として、接続コードが途中で引っ掛かったり、長いコードが引きずられたりして、マウスをスムーズに動かせなくなり、入力作業に支障をきたす場合がある。
【０００４】
このような問題を解決するため、下記特許文献１には、先端に形成したフックを備えた弾性材料からなる線状部材と、前記線状部材の他方の端部を強固に固定してなる支持部材とを有する接続ケーブルの懸架機構と、前記懸架機構をデスクトップその他の構造物に安定的に固定することができる基部とを備えるケーブル支持装置が開示されている。
【０００５】
【特許文献１】
特開２００３−７６４９３号公報
【０００６】
【発明が解決しようとする課題】
しかし、上記特許文献１のケーブル支持装置においては、支持部材に弾性材料からなる線状部材を取付け、この線状部材の先端に形成したフックにケーブルを支持するようにしたので、マウスを動かすときに線状部材が撓んでケーブルを引き戻す力が作用することになる。そして、マウスの移動量や移動方向によって上記線状部材の撓み量が変化し、上記ケーブルを引き戻す力も変化するので、マウスを動かす際の抵抗が変化することになり、マウスを微妙に動かして操作する際の支障となる可能性があった。
【０００７】
したがって、本発明の目的は、マウスを自由自在に動かすことができ、しかも動かす際の抵抗の変化が少なくなるようにしたマウスコードホルダを提供することにある。
【０００８】
【課題を解決するための手段】
上記目的を達成するため、本発明は、マウスとコンピュータとを接続するコードの途中を持ち上げて支持するマウスコードホルダにおいて、マウス近傍に設置される基台と、この基台に取付けられて上方に伸び、その先端が水平〜下方に向くように湾曲された、リジッドな材質のアームと、このアームの少なくとも先端に設けられたコード保持部とを備えていることを特徴とするマウスコードホルダを提供するものである。
【０００９】
本発明によれば、マウスのコードの途中部分を、アームの少なくとも先端に設けられたコード保持部に保持させ、コードの途中を持ち上げて支持することにより、コードがアームの先端から垂れ下がりながらマウスに接続された状態にすることができる。このため、マウスからアーム先端に至るコードがマウス設置面上を長く這うことなく、かなりの部分が空中に浮いた状態で支持されるので、マウスを動かすときの抵抗が極めて小さくなる。また、アームはリジッドな材質（堅くて曲がらない材質）からなるので、マウスを必要な範囲で動かせる程度にコードをたるませておくことにより、アームの撓みによってコードに引張り力が付与されることはない。更に、アームの先端が水平〜下方に向くように湾曲され、コードがアームの先端から水平又は下方に向けて伸びているので、マウスを動かすことによってコードがアームに巻き付いたり、ぶつかったりすることも防止される。したがって、マウスを動かす際のコードによる障害がほとんどなくなり、マウスを自由自在にかつ抵抗の変化もなく動かすことができ、マウスによる微妙な入力操作を容易に行うことができる。
【００１０】
本発明においては、前記アームは、前記基台に対して水平回動可能に取付けられていることが好ましい。この態様によれば、マウスの設置位置に応じてアームの方向を変えることができるので、アームからマウスに至るコード部分を最適な状態に配置することができる。
【００１１】
また、前記アームは、前記基台に対して上下回動可能に取付けられていることが好ましい。この態様によれば、アームの上下方向における回動角を変えることによって、アームの先端部の高さ、言い換えると、コードの途中を持ち上げて支持する高さを変更したり、アームの先端部の傾斜角を変更して、アームからマウスに至るコードの状態を最適化することができる。また、マウスコードホルダを使用しないときには、アームを回動して折り畳むこともできる。
【００１２】
また、前記基台に前記コードの余剰長さ部分を収納するためのコード収納ケースが取付けられ、前記基台又は前記コード収納ケースに前記アームが取付けられていることが好ましい。この態様によれば、マウスからコンピュータに至るコードの長さが長すぎるとき、コードの余剰長さ部分をコード収納ケースに収納することができる。
【００１３】
更に、前記アームは、前記コード収納ケースに対して上下回動可能に取付けられ、前記コード収納ケースは、前記基台に対して水平回動可能に取付けられていることが好ましい。この態様によれば、基台に対してコード収納ケースを水平回動させることによりアームを水平回動させることができ、コード収納ケースに対してアームを上下回動させることもできる。
【００１４】
更に、前記コード収納ケースは、前記基台に取付けられた本体部と、この本体部に対して脱着可能なカセット部とを有し、前記カセット部には、前記コードの余剰長さ部分を巻取るためのボビンが設けられていることが好ましい。この態様によれば、本体部からカセット部を取出して、カセット部に設けられたボビンにコードの余剰長さ部分を巻付け、カセット部を本体部に戻すことによって、コードの余剰長さ部分を容易に収納することができる。
【００１５】
更にまた、前記アームを水平回動及び／又は上下回動させる部分に、ラチェット機構が設けられていることが好ましい。この態様によれば、ラチェット機構によって、クリック感をもってアームを回動させると共に、適度な角度でアームを固定することができる。
【００１６】
更にまた、前記基台には、設置面に対して固定力を付与するための、吸盤、磁石及び重りから選ばれた固定手段が設けられていることが好ましい。この態様によれば、設置面に対する基台の固定力を高め、マウスの移動によってコードが揺れても、アーム及び基台が倒れたりすることを防止できる。
【００１７】
【発明の実施の形態】
図１〜３には本発明によるマウスコードホルダの一実施形態が示されている。図１は同マウスコードホルダの分解斜視図、図２は同マウスコードホルダの正面断面図、図３は同マウスコードホルダの使用態様を示す説明図である。
【００１８】
図１、２に示すように、このマウスコードホルダ１００は、マウス近傍の例えば机等の設置面に配置される基台２００と、この基台２００に対して水平回動可能に取付けられたコード収納ケース３００と、このコード収納ケース３００に対して上下回動可能に取付けられたアーム４００とを備えている。
【００１９】
基台２００は、上面に円弧状の凹部２０１を有し、その中央にボス２０２が立設されている。ボス２０２の下端周縁には、放射状に配列されたギザギザの凹凸面２０３が形成されている。また、この凹凸面２０３から、上記凹部２０１のスロープに沿って上方に伸び、基台２００の一辺に達する溝２０４が形成されている。この溝２０４は、前記アーム４００を折り畳んだときに、アーム４００の先端部が挿入される溝となる。
【００２０】
コード収納ケース３００は、左右一対のケースカバー３１１、３１２からなる本体部３１０を有している。一方のケースカバー３１１には、カセット部３５０が挿入される差込案内部３１３が設けられている。この差込案内部３１３のケース外側面には、ガイドリブ３１４が形成されている。また、差込案内部３１３の上下部分には、ボス３１５、３１６が形成されている。上方のボス３１５の下端周縁には、放射状に配列されたギザギザの凹凸面３１７が形成されている。
【００２１】
他方のケースカバー３１２には、一方のケースカバー３１１に組付けられたとき、上記差込案内部３１３の片面を覆うカバー部３２０と、その上下に形成された孔３２１、３２２とが設けられている。そして、上記孔３２１，３２２を通してネジ３３０，３３１を挿入し、上記ボス３１５、３１６の内周に形成された雌ネジに螺着させることにより、一対のケースカバー３１１，３１２が組付けられるようになっている。
【００２２】
また、一対のケースカバー３１１，３１２は、それらの下端に半円筒状の首部３２３，３２４を有し、これらの首部３２３，３２４は両者を組付けたときに円筒状になる。そして、一方のケースカバー３１１には、上記首部３２３の上部内面に舌片３２５が形成され、この舌片３２５にはスリット３２６が形成されている。そして、このスリット３２６を通してネジ３３２が挿入され、このネジ３３２は、圧縮コイルバネ３３３、座金３３４を通して、基台２００のボス２０２の内周に形成された雌ネジに螺着されている。
【００２３】
座金３３４の周方向の対向する部分には、突起部３３５が形成され、この突起部３３５は、首部３２３，３２４の下端に形成された切欠き部３３６に係合するようになっている。また、座金３３４の下面には、放射状に配列されたギザギザの凹凸３３６が形成されている。そして、座金３３４は、圧縮コイルバネ３３３によってボス２０２の下端周縁の凹凸面２０３に圧接されてラチェット機構を構成している。その結果、本体部３１０を水平回動させると、座金３３４が一体に回動し、座金３３４の凹凸３３６が圧縮コイルバネ３３３によって凹凸面２０３に圧接されているので、この凹凸嵌合によって回動はクリック感を伴って小気味よくなされ、任意の角度で固定することができる。
【００２４】
一方、カセット部３５０は、ケースカバー３１１の差込案内部３１３の案内リブ３１４の内側に挿入される側板３５１と、差込案内部３１３に挿入されたときにその挿入側の開口部を閉塞する背面板３５２とを有している。そして、前記側板３５１の内面側には軸部３５３が突設され、この軸部３５３の端部にフランジ部３５４が形成されて、ボビン３５５が構成されている。フランジ３５４の周縁の一箇所には、一対のスリットによって形成された弾性係合片３５６が形成されており、この弾性係合片３５６の端部には、ケースカバー３１２の縁部に係合する凸部３５６ａが形成されている。
【００２５】
また、アーム４００は、全体として円弧状をなし、その一端にはボス４０１が形成されている。このボス４０１の一方の端面には切欠き４０２が形成されている。前記ネジ３３０は、ケースカバー３１２の孔３２１を挿通された後、アーム４００のボス４０１を挿通され、更に圧縮コイルバネ３６０、座金３６１を挿通されて、ケースカバー３１１のボス３１５内周に形成された雌ネジに螺着されるようになっている。
【００２６】
座金３６１には、突起部３６２が形成され、この突起部３６２は、ボス４０１に形成された切欠き４０２に係合するようになっている。また、座金３６１の下面には、放射状に配列されたギザギザの凹凸３６３が形成されている。そして、座金３６１は、圧縮コイルバネ３６０によってボス３１５の下端周縁の凹凸面３１７に圧接されてラチェット機構を構成している。その結果、アーム４００を上下に回動させると、座金３６１が一体に回動し、座金３６１の凹凸３６３が圧縮コイルバネ３６０によって凹凸面３１７に圧接されているので、この凹凸嵌合によって回動はクリック感を伴って小気味よくなされ、任意の角度で固定することができる。
【００２７】
アーム４００は、円弧状に屈曲しており、上方に回動させて立設させた状態で、ボス４０１と反対側の先端部は、斜め下方に向いている。また、円弧状の支持部に沿ってその片面には凹部４０３が形成されており、この凹部４０３の開口部を狭めるように、ところどころに突起４０４が形成されている。更に、アーム４００の先端部にはコード導出口４０５が形成されている。
【００２８】
この場合、アーム４００は、例えば合成樹脂、金属等のリジッドな材質からなり、マウス５１０の操作によってコード５２０に引張り力が作用しても弾性的に撓んだりすることがないようにされている。合成樹脂としては、例えばポリプロピレン（ＰＰ）、ＡＢＳ、ポリアセタール（ＰＯＭ）、ナイロン（ＰＡ）等が好ましい。
【００２９】
そして、図３に示すように、コンピュータ本体５００と、マウス５１０とを接続するコード５２０は、その途中の部分を上記凹部４０３に沿って挿入され、上記突起４０４によって抜け止めされ、上記導出口４０５から斜め下方に向けて取出されるようになっている。なお、図３における５３０はディスプレイ、５４０はキーボードである。
【００３０】
次に、このマウスコードホルダ１００の使用方法について説明する。
まず、コード収納ケース３００の差込案内部３１３からカセット部３５０を抜き出し、コード５２０の余剰長さ部分をボビン３５５に巻き付けて、コード５２０を適度な長さに調節した後、カセット部３５０を再び差込案内部３１３に挿入することにより、コード５２０の余剰長さ部分をコード収納ケース３００に収容する。
【００３１】
そして、ボビン３５５からマウス５１０側に引き出されたコード５２０の部分を、アーム４００の凹部４０３に挿入し、突起４０４で抜け止めさせ、コード導出口４０５から取出す。コード導出口４０５から引き出されたコード５２０は、下方に垂れ下がりながらマウス５１０に接続される。
【００３２】
このマウスコードホルダ１００においては、基台２００に対してカセット部３５０を水平回動させることにより、上記アーム４００を水平回動できるので、それによってアーム４００先端のコード導出口４０５をマウス５１０の方向に向けることができる。また、アーム４００を上記カセット部３５０に対して上下回動することができるので、アーム４００先端のコード導出口４０５を適度な高さに支持することができ、かつ、斜め下方に向けることができる。なお、これらの回動は、前述したラチェット機構によってクリック感を伴って行うことができ、任意の角度で停止させることができる。
【００３３】
その結果、コード５２０は、アーム４００のコード導出口４０５から斜め下方に向けて垂れ下がり、机の上面に少しの長さ接した後に、マウス５１０に接続される。このような状態で、マウス５１０を操作すると、コード５２０が机の上面を引き摺られることによる摩擦抵抗が小さくなり、机の上にある他の物と干渉して引張られることもなくなる。アーム４００先端のコード導出口４０５が斜め下方に向いており、コード５２０が斜め下方に導出されているので、マウス５１０の動きに伴ってコード５２０が揺れてもアーム４００に絡み付くことはない。更に、アーム４００はリジッドな材質からなるので、コード５２０に引張り力が作用しても撓むことはなく、コード５２０に弾性的な反発力が付与されることはない。このため、マウス５１０を軽く自由に動かすことができ、コンピュータへの入力操作を容易にすることができる。
【００３４】
図４には本発明のマウスコードホルダのアームにおけるコード保持部の他の例が示されている。すなわち、同図（ａ）のアーム４１０は、横断面がコ字状をなすように形成され、その凹部４１１がコード５２０を収容する保持部をなしている。同図（ｂ）のアーム４２０は、横断面が円の一部を接離された形状をなすように形成され、その凹部４２１がコード５２０を収容する保持部をなしている。同図（ｃ）のアーム４３０は、横断面がＵ字状をなすように形成され、その凹部４３１がコード５２０を収容する保持部をなしている。同図（ｄ）のアーム４４０は、横断面がコ字状をなすように形成され、その凹部４４１がコード５２０を収容する保持部をなし、更に凹部４４１の開口部に蓋板４４２が被せられるようになっている。同図（ｅ）のアーム４５０は、横断面が円の一部を接離された形状をなすように形成され、その凹部４５１がコード５２０を収容する保持部をなし、更にこの凹部４５１の開口部に蓋板４５２が被せられるようになっている。同図（ｆ）のアーム４６０は、横断面がＵ字状をなすように形成され、その凹部４６１がコード５２０を収容する保持部をなし、この凹部４６１の開口部に蓋板４６２が被せられるようになっている。同図（ｇ）のアーム４７０は、横断面が円柱状をなす本体部４７１と、この本体部からＣ字状に伸びる一対の把持部４７２と、この把持部４７２の内側にコード５２０が保持されるようになっている。
【００３５】
図５には、本発明によるマウスコードホルダの他の実施形態が示されている。これらは、いずれもコード収納ケースを省略したものであり、基本的には基台とアームとで構成されている。
【００３６】
すなわち、同図（ａ）のマウスコードホルダ１１０は、半球状の基台２１０の上面の一部に凹部２１１を設け、この凹部２１１に円弧状に屈曲されたアーム４８０の基部４８１を差し込んで固定した構造からなっている。アーム４８０は、図示していないが、前述したいずれかの態様で構成されるコード保持部を有している。アーム４８０の先端は水平若しくは斜め下方に向いている。
【００３７】
同図（ｂ）のマウスコードホルダ１２０は、直方体状の基台２２０の上面に凹部２２１を設け、この凹部２２１にアーム４９０の基部４９１を差し込んで固定した構造からなっている。アーム４９０は、図示していないが、前述したいずれかの態様で構成されるコード保持部を有している。アーム４９０の先端は水平若しくは斜め下方に向いている。
【００３８】
図６には、本発明によるマウスコードホルダの更に他の実施形態が示されている。これらは、いずれも、図１〜３に示したマウスコードホルダにおける基台に固定手段を設けたものである。
【００３９】
すなわち、同図（ａ）のマウスコードホルダ１３０は、基台２３０の下面に吸盤２３１を有しており、この吸盤２３１によって設置面に固定されるようになっている。
【００４０】
同図（ｂ）のマウスコードホルダ１４０は、基台２４０の下面に磁石２４１が取付けられており、特に設置面がスチール製である場合、この磁石２４１によって吸着固定されるようになっている。
【００４１】
同図（ｃ）のマウスコードホルダ１５０は、基台２５０の下部に金属等で形成された重り２５１が取付けられており、この重り２５１によって設置面に安定して設置されるようになっている。
【００４２】
【発明の効果】
以上説明したように、本発明によれば、マウスのコードの途中部分を、アームの少なくとも先端に設けられたコード保持部に保持させ、コードの途中を持ち上げて支持することにより、コードがアームの先端から垂れ下がりながらマウスに接続された状態にすることができる。このため、マウスからアーム先端に至るコードがマウス設置面上を長く這うことなく、かなりの部分が空中に浮いた状態で支持されるので、マウスを動かすときの抵抗が極めて小さくなる。また、アームはリジッドな材質（堅くて曲がらない材質）からなるので、マウスを必要な範囲で動かせる程度にコードをたるませておくことにより、アームの撓みによってコードに引張り力が付与されることはない。更に、アームの先端が水平〜下方に向くように湾曲され、コードがアームの先端から水平又は下方に向けて伸びているので、マウスを動かすことによってコードがアームに巻き付いたり、ぶつかったりすることも防止される。したがって、マウスを動かす際のコードによる障害がほとんどなくなり、マウスを自由自在にかつ抵抗の変化もなく動かすことができ、マウスによる微妙な入力操作を容易に行うことができる。
【図面の簡単な説明】
【図１】本発明によるマウスコードホルダの一実施形態を示す分解斜視図である。
【図２】同マウスコードホルダの正面断面図である。
【図３】同マウスコードホルダの使用態様を示す説明図である。
【図４】本発明のマウスコードホルダのアームにおけるコード保持部の他の例を示す模式断面図である。
【図５】本発明によるマウスコードホルダの他の実施形態を示す説明図である。
【図６】本発明によるマウスコードホルダの更に他の実施形態を示す説明図である。
【符号の説明】
１００、１１０、１２０、１３０、１４０、１５０…マウスコードホルダ
２００、２１０、２２０、２３０、２４０、２５０…基台
２０３…凹凸面
２３１…吸盤
２４１…磁石
２５１…重り
３００…コード収納ケース
３１０…本体部
３１１、３１２…ケースカバー
３５０…カセット部
３１７…凹凸面
３３２…ネジ
３３３…圧縮コイルバネ
３３４…座金
３５５…ボビン
３３０…ネジ
３６０…圧縮コイルバネ
３６１…座金
４００、４１０、４２０、４３０、４４０、４５０、４６０、４７０、４８０、４９０…アーム
４０３…凹部
４０５…コード導出口
５００…コンピュータ本体
５１０…マウス
５２０…コード
【図１】
2004310168.tif 000003
【図２】
2004310168.tif 000004
【図３】
2004310168.tif 000005
【図４】
2004310168.tif 000006
【図５】
2004310168.tif 000007
【図６】
2004310168.tif 000008